(57)【要約】【課題】被詰替え容器内への液体の流入に伴う内部空気の放出が効率良く行われ、液体の溢れ出しを防止しつつ、スムーズに内容物の詰替えを行うことができる詰替え容器用栓部材を提供する。【解決手段】詰替え容器１１に固定されて、内容物の詰替えに用いられる詰替え容器用栓部材２０であり、詰替え容器１１に固定される固定部２４及び注出筒２３を備えた固定部材２１と、注出筒２３にスライド移動可能に取り付けられる可動部材３１とからなる。注出筒２３は、閉鎖部挿入部２６内の壁面に注出口２２を有する。可動部材３１は、注出口閉鎖部３２、被詰替え容器の口首部に押し当てられる押し当て部３３、及び、それらを連結すると共に注出筒２３の周囲に空気の流路を形成する連結部３３を備える。可動部材３１の押し付け部３３を、被詰替え容器の口首部に押し付けることにより、注出口閉鎖部３２が、閉鎖部挿入部に沿って移動し注出口が開放される。【選択図】図７
2014080219.tif 000002
【特許請求の範囲】
【請求項１】
詰替え容器に固定されて、内容物の詰替えに用いられる詰替え容器用栓部材であって、
詰替え容器に固定される固定部及び被詰替え容器に挿入される注出筒を備えた固定部材と、該注出筒にスライド移動可能に取り付けた可動部材とからなり、
前記注出筒は、前記可動部材のスライド方向に沿って延在する閉鎖部挿入部を有し、該閉鎖部挿入部内の、該スライド方向に沿う壁面に注出口を有しており、
前記可動部材は、前記閉鎖部挿入部に挿入されて、前記注出口を閉鎖している注出口閉鎖部と、前記被詰替え容器の口首部に押し当てられる押し当て部と、該注出口閉鎖部と該押し付け部とを連結すると共に前記注出筒の周囲に被詰替え容器内から排出される空気の流路を形成する連結部とを備えており、
前記可動部材の押し付け部を、被詰替え容器の口首部に押し付けることにより、前記注出口閉鎖部が、前記閉鎖部挿入部に沿って前記固定部側に移動し前記注出口が開放されるようになされている、詰替え容器用栓部材。
【請求項２】
前記連結部は、前記注出筒の周囲にスライド可能に取り付けられる筒状部を有している、請求項１記載の詰替え容器用栓部材。
【請求項３】
前記注出口が、前記閉鎖部挿入部内の相対向する部位に一対以上形成されている、請求項１又は２記載の詰替え容器用栓部材。
【請求項４】
請求項１〜３の何れか１項に記載の詰替え容器用栓部材が、液状の内容物が収容された詰替え容器に、その詰替え流出口を覆うように固定されてなる内容物入り詰替え容器。
【発明の詳細な説明】
【技術分野】
【０００１】
本発明は、詰替え容器用栓部材に関し、特に、被詰替え容器に内容物を詰替えるための詰替え容器用栓部材及び内容物入り詰替え容器に関する。
【背景技術】
【０００２】
近年、各種の液体や、その他の内容物を収納する合成樹脂製の容器についても、環境負荷の低減が図られるようになっており、使用する樹脂量を減らした薄肉の容器が種々開発されている。また、各種の洗剤や食品等を収納する容器として、スタンディングパウチ等の詰替え容器が多く用いられている。詰替え容器は、収納した内容物を、蓋体にポンプ装置を備えた被詰替え容器や、注出スパウト等による注出部を備える被詰替え容器に詰替えたり補充したりすることで、高価な被詰替え容器をその都度廃棄することなく、長期間使用できるようにする。
【０００３】
また、注出スパウト等による注出部を備えない被詰替え容器に、内容物を詰替える詰替え容器として、詰替え容器の口部に装着されると共に注出口が形成された装着筒と、スライド移動可能に装着筒に支持された操作部材と、装着筒内に配設された押圧体とを有し、被詰替え容器の口部により操作部材をスライド移動させることにより、押圧体が、注出口のシール部のシール体を押圧して注出口を開放するようにした詰替え容器が提案されている（特許文献１参照）。
【先行技術文献】
【特許文献】
【０００４】
【特許文献１】特開２０１２−０１２０６１号公報
【発明の概要】
【発明が解決しようとする課題】
【０００５】
従来のスタンディングパウチは、柔軟性や可撓性に富んだ軟包材によって形成されており、詰替え作業の際に容器が変形して不安定な状態となり易い。
他方、特許文献１の詰替え容器においては、注出口が開放されたときに、詰替え容器から被詰替え容器に向かって流れる液が装着筒内の略全域を流れるため、被詰替え容器内への液体の流入に伴う内部空気の放出が充分に行われず、詰替えに時間を要したり、被詰替え容器の口部近傍に付着した液体が、被詰替え容器から排出される空気に押し戻され、容器間の隙間から漏れ出す等の不都合を生じる恐れがある。
【０００６】
本発明は、被詰替え容器内への液体の流入に伴う内部空気の放出が効率良く行われ、液体の溢れ出しを防止しつつ、スムーズに内容物の詰替えを行うことができる詰替え容器用栓部材及び内容物入り詰替え容器に関する。
【課題を解決するための手段】
【０００７】
本発明は、詰替え容器に固定されて、内容物の詰替えに用いられる詰替え容器用栓部材であって、詰替え容器に固定される固定部及び被詰替え容器に挿入される注出筒を備えた固定部材と、該注出筒にスライド移動可能に取り付けた可動部材とからなり、前記注出筒は、前記可動部材のスライド方向に沿って延在する閉鎖部挿入部を有し、該閉鎖部挿入部内の、該スライド方向に沿う壁面に注出口を有しており、前記可動部材は、前記閉鎖部挿入部に挿入されて、前記注出口を閉鎖している注出口閉鎖部と、前記被詰替え容器の口首部に押し当てられる押し当て部と、該注出口閉鎖部と該押し付け部とを連結すると共に前記注出筒の周囲に被詰替え容器内から排出される空気の流路を形成する連結部とを備えており、前記可動部材の押し付け部を、被詰替え容器の口首部に押し付けることにより、前記注出口閉鎖部が、前記閉鎖部挿入部に沿って前記固定部側に移動し前記注出口が開放されるようになされている、詰替え容器用栓部材を提供するものである。
【０００８】
また、本発明は、前記詰替え容器用栓部材が、液状の内容物が収容された詰替え容器に、その詰替え流出口を覆うように固定されてなる内容物入り詰替え容器を提供するものである。
【発明の効果】
【０００９】
本発明の詰替え容器用栓部材及び内容物入り詰替え容器によれば、被詰替え容器内への液体の流入に伴う内部空気の放出が効率良く行われ、液体の溢れ出しを防止しつつ、スムーズに内容物の詰替えを行うことができる。
【図面の簡単な説明】
【００１０】
【図１】本発明の一実施形態に係る詰替え容器用栓部材を取り付けた詰替え容器によって、被詰替え容器に内容物を詰替える状況を説明する略示斜視図である。
【図２】図１に示す詰替え容器用栓部材を示す斜視図であり、（ａ）は可動部材によって注出口が閉鎖された状態の斜視図、（ｂ）は注出口が開放された状態の斜視図である。
【図３】図１に示す詰替え容器用栓部材の固定部材を示す図であり、（ａ）は斜視図、（ｂ）は平面図、（ｃ）は（ｂ）のＩ−Ｉに沿った断面図、（ｄ）は（ｂ）のＩＩ−ＩＩに沿った断面図である。
【図４】図１に示す詰替え容器用栓部材の可動部材を示す図であり、（ａ）は斜視図、（ｂ）は平面図、（ｃ）は（ｂ）のＩＩＩ−ＩＩＩに沿った断面図である。
【図５】詰替え容器用栓部材を取り付けた詰替え容器の閉鎖された注出口付近を示す断面図である。
【図６】詰替え容器用栓部材を取り付けた詰替え容器を倒立状態とし、その詰替え容器用栓部材を被詰替え容器の口首部にセットした状態を示す部分断面斜視図である。
【図７】詰替え容器用栓部材を取り付けた詰替え容器を押し下げて、注出口を開放させた状態を示す部分断面斜視図である。
【発明を実施するための形態】
【００１１】
本発明の好ましい一実施形態に係る詰替え容器用栓部材２０は、図１に示すように、詰替え容器１１として例えば薄肉のボトル形状の容器の口首部１２に、これの先端の詰替え流出口１３（図５参照）を覆って取り付けられる。ここで、詰替え容器１１は、自立載置部を備える底部１４と、内容物を注出させる詰替え流出口１３を備える口首部１２と、底部１４と口首部１２との間の肉厚が例えば５０〜１５０μｍ程度の胴部１５とを含んで形成されている。詰替え容器１１は、好ましくは、口首部１２を下方に向けた倒立状態で、内部に充填収容されている液状の内容物を、詰替え流出口１３を介した空気置換によることなく、胴部１５自体を収縮変形させながらある程度まで注出させることが可能な可撓性を胴部１５が備えるように構成されている。
【００１２】
また、本実施形態では、詰替え容器１１は、図１に示すように、容器本体１７の口首部に注出スパウトを有しない被詰替え容器１６に、液状の内容物を詰替えたり補充したりするための詰替え容器となっている。より具体的には、被詰替え容器１６は、液状の内容物を詰替えたり補充したりした後、容器本体１７の上端に設けられた口首部１８に、ポンプ装置を備えた蓋体（図示せず）を螺着してポンプ付き容器として用いることができるものである。ポンプ装置は、例えば、ポンプの押圧部を手で押し下げることにより、シャンプーやリンスなどの液状の内容物を適量外部に吐出させるものであり、各種公知のものを用いることができる。注出スパウト（注出用ノズル）を備えた被詰替え容器に詰替えるための詰替え容器は、例えば特開２０１０−２３５１５２号公報や特開２０１０−２４７８９６号公報等に記載されている。
【００１３】
本実施形態の詰替え容器用栓部材２０は、注出口２２を有する注出筒２３を、被詰替え容器１６の口首部１８に挿入して、詰替え容器１１に収容された液状の内容物を、被詰替え容器１６の内部に効率良く流入させてゆく機能を備えると共に、可動部材３１によって閉鎖されていた注出口２２を開放させ、詰替え容器１１と被詰替え容器１６の内部とを連通させる操作をスムーズ且つ容易に行えるようにする機能を備える。
【００１４】
本実施形態の詰替え容器用栓部材２０は、図１及び図５に示すように、詰替え容器１１の口首部１２に、口首部１２の端部に開口する詰替え流出口１３を覆って取り付けられる。
詰替え容器用栓部材２０は、図２（ａ）（ｂ）に示すように、固定部材２１と可動部材３１とからなる。固定部材２１は、図５に示すように、詰替え容器１１に、その詰替え流出口１３を覆うように固定されると共に、図６に示すように、被詰替え容１６に挿入される注出筒２３を備えている。固定部材２１は、詰替え容器１１に固定するための装着スカート部２４を備えており、装着スカート部２４を、詰替え容器１１の口首部１２の外周部に螺合、嵌合、熱融着、接着剤等の任意の方法で結合させることで、詰替え容器１１に固定可能である。装着スカート部２４が、本実施形態における固定部材２１の固定部である。
【００１５】
装着スカート部２４と注出筒２３との間には、詰替え流出口１３の開口面と略平行な環状の基台部２５が形成されている。注出筒２３は、基台部２５から、詰替え流出口１３の開口面に垂直な方向に突出しており、突出方向の先端に平面状の先端２３ａを有し、突出方向の基端２３ｂは基台部２５と結合している。
注出筒２３は、有天筒状体が、閉鎖部挿入部２６によって２分割された形状を有している。換言すれば、注出筒２３は、詰替え流出口１３の開口面に垂直に配される中心軸Ｃを挟んで対峙する一対の分割注出筒２３Ｓ，２３Ｓを有しており、分割注出筒２３Ｓ，２３Ｓ間に、閉鎖部挿入部２６が形成されている。閉鎖部挿入部２６は、注出筒２３に取り付けられた可動部材３１のスライド方向に沿って延在している。即ち、閉鎖部挿入部２６は、注出筒２３の先端２３ａ側から基端２３ｂ側に向かって延在しており、より詳細には、閉鎖部挿入部２６は、詰替え流出口１３の開口面に垂直に配される直線に沿って延在している。
【００１６】
一対の分割注出筒２３Ｓ，２３Ｓは、それぞれ、断面円弧状の外周壁２７と、閉鎖部挿入部２６の内面を形成する平板状の内部壁２６ｓと、基端２３ｂとは反対側に位置し、外周壁２７及び内部壁２６ｓに対して垂直な天面壁２８とを備えた断面半円形状の有天筒状をなしている。注出筒２３の外周部は、一対の分割注出筒２３Ｓ，２３Ｓの外周壁２７からなり、注出筒２３の先端２３ａは、一対の分割注出筒２３Ｓ，２３Ｓの天面壁２８からなる。そして、分割注出筒２３Ｓ，２３Ｓそれぞれの内部壁２６ｓにおける、注出筒２３の先端近傍に注出口２２が形成されている。
【００１７】
閉鎖部挿入部２６は、後述する、可動部材３１の注出口閉鎖部３２が挿入される空間であり、本実施形態においては、一対の分割注出筒２３Ｓ，２３Ｓ間に形成された所定幅の隙間である。そして、注出筒２３の注出口２２は、図３（ｂ）に示すように、閉鎖部挿入部２６内の相対向する部位に一対形成されている。
【００１８】
可動部材３１は、図４に示すように、注出口閉鎖部３２と、押し当て部３３と、連結部３４とを備えている。注出口閉鎖部３２は、図５に示すように、注出筒２３の閉鎖部挿入部２６に挿入されて、閉鎖部挿入部２６内の注出口２２を液密に閉鎖するものである。
【００１９】
本実施形態における注出口閉鎖部３２は、図４（ｂ）に示すように、一対の板状の分割閉鎖部３２ａ，３２ａが、間隔保持部３２ｂを介して結合した構成を有しており、一方の分割閉鎖部３２ａが、閉鎖部挿入部２６内に開口する一方の注出口２２を封鎖し、他方の分割閉鎖部３２ａが、閉鎖部挿入部２６内に開口する他方の注出口２２を封鎖する。間隔保持部３２ｂは、分割閉鎖部３２ａ，３２ａ間の間隔を、一対の注出口２２，２２の双方に分割閉鎖部３２ａが密着するように保持する。
押し当て部３３は、可動部材３１の外周部に環状に形成されており、図６に示すように、詰替え容器用栓部材２０を固定した詰替え容器１１の内容物を、被詰替え容器１６に詰替える際に、被詰替え容器１６の口首部１８の開口部の周縁部に押し当てる部位である。
【００２０】
連結部３４は、注出口閉鎖部３２と押し当て部３５とを一体的に変位するように連結する。実施形態の連結部３４は、図４に示すように、環状の押し当て部３５の内側に結合した４本の接続リブ３４ａと、接続リブ３４ａの他端側に結合した筒状部３４ｂとからなる。筒状部３４ｂは、前述した一対の分割閉鎖部３２ａ，３２ａそれぞれの端部とも結合している。筒状部３４ｂは、一対の分割注出筒２３Ｓ，２３Ｓからなる注出筒２３の周囲にスライド移動可能に取り付けられる。
筒状部３４ｂは、分割閉鎖部３２ａ，３２ａの周壁２７からなる注出筒２３の周面に接触して、可動部材３１が注出口２２を閉鎖している初期状態を安定化させるとともに、可動部材３１が注出筒２３に沿ってスライド移動する際の安定性を向上させる。
【００２１】
また、連結部３４は、図４（ｂ）に示すように、筒状部３４ｂの外周面の外側に、通気孔３４ｃを備えている。通気孔３４ｃは、筒状部３４ｂの周方向に隣り合う接続リブ３４ａ，３４ａ間に形成されている。これにより、連結部３４は、注出口閉鎖部３２と押し当て部３５とを一体的に変位するように連結すると共に、注出筒２３の周囲に被詰替え容器１６内から排出される空気の流路Ｂを形成する機能を有する。
【００２２】
また、本実施形態の押し当て部３３は、環状且つ板状の水平部分３３ａに加えて、該水平部分３３ａから略垂直に立ち上がる位置決め筒状部３３ｂを備えている。位置決め筒状部３３ｂは、可動部材３１を被詰替え容器１６の口首部１８に押し当てた際に、口首部１８の開口部の内面側に当接又は近接して、押し当て部３３が口首部１８の開口周縁部に当接した状態が安定に維持されるようにする機能、及び注出筒２３が、被詰替え容器１６の口首部１８の内周面から離間した適正位置に挿入されるようにする位置決め手段としての機能を有している。
【００２３】
本実施形態の詰替え容器用栓部材２０は、固定部材２１と可動部材３１とを、可動部材３１の注出口閉鎖部３２が一対の注出口２２を閉鎖した状態となるように組み合わせ、その状態において、詰替え容器１１の口首部１２に取り付けられる。詰替え容器用栓部材２０における可動部材３１は、注出口２２を閉鎖する初期状態においては、可動部材３１に力を加えない限り、その閉鎖状態は安定に維持される。
そのため、例えば、液状の内容物が充填された状態の詰替え容器１１を、図５に示すように、詰替え流出口１３が下向きの倒立状態としても、液漏れは生じない。
【００２４】
このようにして得られる内容物入り詰替え容器は、本発明の内容物入り詰替え容器の好ましい一実施形態である。詰替え容器に収容する液状の内容物としては、例えば、シャンプー、リンス、コンディショナー、ボディーソープ、ハンドソープ等の香粧品や、液体洗剤、柔軟剤、漂白剤等が挙げられる。
【００２５】
そして、詰替え容器１１から被詰替え容器１６に内容物の液体を詰替えるには、詰替え容器用栓部材２０を固定した詰替え容器１１を、図６に示すように、可動部材３１が注出口２２を閉鎖した状態のまま倒立状態として、その詰替え容器用栓部材２０を、可動部材３１の押し当て部３３が、被詰替え容器１６の口首部１８の開口部の周縁部に当たるようにセットする。そして、図７に示すように、その状態の詰替え容器１１を手で押し下げる。これにより、可動部材３１が、注出筒２３に沿って、注出口２２を閉鎖していた位置から閉鎖部挿入部２６の底部に突き当たるまで移動し、それに伴い注出筒２３の注出口２２が開放されて、詰替え容器１１内の液体が、矢印Ａに示すように、注出口２２から被詰替え容器１６の内部に注入される。
【００２６】
他方、注出筒２３の外周壁の外側に形成された通気孔３４ｃを介して、被詰替え容器１６内の空気が、矢印Ｂに示す流路で外部に効率よく放出される。
本実施形態においては、このように、被詰替え容器の口首部１８内に、注出口２２から流出して被詰替え容器内に流入する液体の流路Ａと該被詰替え容器内から排出される空気の流路Ｂとが分離された状態に形成される。特に、注出筒２３の中央部付近に液体の流路Ａが形成される一方、口首部１８の直径方向における、注出筒２３の外周壁より外側に空気の流路Ｂが形成されるため、被詰替え容器内への液体の流入に伴う内部空気の放出が効率良く行われる。そのため、液体の注入がスムーズに進行し、詰替え作業中に、被詰替え容器の開口部から液体があふれ出すことも防止される。また、液体の注入がスムーズに進行するため、詰替え作業を短時間で終わらすこともできる。
【００２７】
また、本実施形態の詰替え容器用栓部材２０によれば、被詰替え容器１６の口首部１８に押し付けるだけで、注出口２２を開放させることができるため、詰替え作業を、一層、容易且つスムーズに行うことができる。
【００２８】
更に、本実施形態の詰替え容器用栓部材２０によれば、詰替え容器１１に固定した状態で内容物の詰替えを行った後に、可動部材３１と固定部材２１とが分離した状態とはならない。そのため、詰替え容器用栓部材２０と詰替え容器１１とを一体として廃棄すれば良いので、廃棄も容易である。
【００２９】
また、本実施形態においては、詰替え容器１１は、例えば、ポリプロピレン、ポリエチレン、ポリエチレンテレフタレート等の合成樹脂を用いた延伸ブロー成形によって形成されたものである。また、詰替え容器１１は、胴部１５の上方に連続して詰替え容器１１の上端部分を構成する肩部１９を備えている。肩部１９の上端中央部分から上方に突出して、円筒形状の口首部１２が一体として設けられている。詰替え容器１１の口首部１２は、厚肉に形成されることで、手の力では変形させることが困難な程度の保形剛性を備えており、口首部１２の端部が、詰替え流出口１３として開口している。
【００３０】
詰替え容器用栓部材２０は、固定部材２１及び可動部材３１の何れも合成樹脂製であることが好ましく、例えばポリプロピレン、ポリエチレン等の合成樹脂を用いた金型成形品であることが好ましい。固定部材２１及び可動部材３１は、それぞれ、射出成形等により別々に形成した成形品を熱融着、接着等の公知の方法で一体化してなるものであっても良い。
【００３１】
なお、本発明は上記実施形態に限定されることなく種々の変更が可能である。
例えば、注出筒は、中心軸Ｃの軸方向に延在する閉鎖部挿入部を複数有し、複数の閉鎖部挿入部のそれぞれを注出口閉鎖部が閉鎖する構成としても良い。また、閉鎖部挿入部に形成される一対の注出口の位置を、相対向する部位に形成するのに代えて、相対向しない部位に形成してもよい。
【００３２】
また、注出筒は、中心軸Ｃに直交する断面の形状が円形に限定されず、当該断面形状が、正方形、長方形、三角形、楕円形等であっても良い。通気孔３４ｃも、図４（ｂ）に示すように、円弧状のものに限られず、円形、正方形、三角形、断円形等の任意の形状の孔を円弧状に並べたもの等であっても良い。
【００３３】
また、詰替え容器用栓部材が取り付けられる詰替え容器は、薄肉のボトル形状の容器である必要は必ずしもなく、その他の種々の詰替え容器に、本発明の詰替え容器用栓部材を取り付けて用いることができる。例えば、スタンディングパウチに合成樹脂の射出成形品からなる部材を取り付けて形成した詰替え流出口を覆って詰替え容器用栓部材２０’を取り付けて用いることもできる。
【符号の説明】
【００３４】
１１  詰替え容器
１２  口首部
１３  流出口
１４  底部
１５  胴部
１６  被詰替え容器
１７  容器本体
１８  口首部
１９  肩部
２０  容器用栓部材
２１  固定部材
２２  注出口
２３  注出筒
２３ａ  先端
２３ｂ  基端
２３Ｓ，２３Ｓ  分割注出筒
２４  装着スカート部（固定部）
２５  基台部
２６  閉鎖部挿入部
２６ｓ  内部壁
３１  可動部材
３２  注出口閉鎖部
３２ａ，３２ａ  分割閉鎖部
３３  押し当て部
３４  連結部
３４ｃ  通気孔
Ａ  注出口から流出して被詰替え容器内に流入する液体の流路
Ｂ  被詰替え容器内から排出される空気の流路
【図１】
2014080219.tif 000003
【図２】
2014080219.tif 000004
【図３】
2014080219.tif 000005
【図４】
2014080219.tif 000006
【図５】
2014080219.tif 000007
【図６】
2014080219.tif 000008
【図７】
2014080219.tif 000009